(57)【要約】【課題】保健指導ができる管理栄養士養成のために、双方向性医療情報共有ネットワークシステムを利用した管理栄養士教育システムを提供すること。【解決手段】入力部と、個人情報記憶部と、端末用送受信部と、を有するシステム登録利用者用端末と、個人情報記憶部と、運動情報記憶部と、学習支援部と、健康管理支援部と、サーバ用送受信部と、を有する健康管理支援システムサーバと、入力部と、記憶処理部と、端末用送受信部と、を有する医療スタッフ用端末と、入力部、記憶処理部、端末用送受信部と、を有する研修者用端末と、を有する教育システムとする。【選択図】図１
2009199129.tif 000002
【特許請求の範囲】
【請求項１】
入力部と、健康関連指標データを記憶する個人情報記憶部と、前記健康関連指標データを送受信する端末用送受信部と、を有するシステム登録利用者用端末と、
個人特定データ及び前記健康関連指標データを記憶する個人情報記憶部と、運動情報データを記憶する運動情報記憶部と、学習教材データ及び試験問題データの少なくともいずれかを記憶する学習支援部と、前記個人特定データ、前記健康関連指標データ及び前記運動情報データに基づき健康管理支援処理を行う健康管理支援部と、前記システム登録利用者用端末における端末用送受信部と電気通信回線を通じて接続可能なサーバ用送受信部と、を有する健康管理支援システムサーバと、
入力部、アドバイスデータを記憶する記憶処理部、前記サーバ送受信部と電気通信回線を通じて接続可能な端末用送受信部と、を有する医療スタッフ用端末と、
入力部、アドバイスデータを記憶する記憶処理部、前記サーバ送受信部と電気通信回線を通じて接続可能な、端末用送受信部と、を有する研修者用端末と、を有する教育システム。
【請求項２】
前記学習支援部に、学習教材データ及び試験問題データの少なくともいずれかが格納されてなる請求項１記載の教育システム。
【発明の詳細な説明】
【技術分野】
【０００１】
本発明は、管理栄養士の人材育成のための教育（研修・実践・評価を含む）システムに関する。
【背景技術】
【０００２】
メタボリックシンドロームの予防・改善に向けて厚生労働省は平成２０年度より医療保険者に「特定健康診査・特定保健指導」を義務付けている。この特定保健指導は医師の診断に基づいて管理栄養士が指導する食生活管理を含むものである。しかし、実際にこのような指導を行うことができる管理栄養士の数は限られており、平成２０年の実施に向けて、保健指導が可能な管理栄養士の数が圧倒的に不足することが危惧されている。そのためには管理栄養士の実践教育を通じてカウンセリング能力を訓練する必要がある。また前述の不足を補うために、現在現場から離れている管理栄養士の有資格者に保健指導の再教育を行い、現場への復帰を支援する必要もあり、保健指導に対応できる管理栄養士の人材育成プログラムの早急な整備の必要がある。
【０００３】
このような現実に対し、栄養士養成教育カリキュラムという分野において、栄養指導や給食実務指導等に関するソフトウェアが数多く開発されているが、これらは実務の作業効率の改善等が主な目的である。例えば下記特許文献１にその記載がある。
【０００４】
下記特許文献１には、栄養士養成教育カリキュラムにおける給食管理に関する教科書作成とソフトウェア開発を統合したことを最も主要な特徴とする給食管理システムが開示されている。
【０００５】
また、通信回線を使用した電話、ファクシミリ、端末機等を使用した医療相談、更には年に数度の健康診断を行い、通常の定期健康診断よりも精密な医療サービスを行なうといった医療サービスが数多く登場している。このような医療サービスを実現する健康管理支援システムとして、例えば下記特許文献２にその記載がある。
【０００６】
下記特許文献２には、健康相談者に対し、ネットワークを介して食事内容の画像をデジタルカメラで専用のソフトウェアを介して医療相談を受けることによる健康管理支援システムが開示されている。
【特許文献１】特開２００４−１２７２１９号公報
【特許文献２】特開２００５−３５３０８８号公報
【発明の開示】
【発明が解決しようとする課題】
【０００７】
しかしながら、将来的に必要とされる管理栄養士の育成には、ある期間の食事指導の実践が必須であるが、上記従来のシステムでは、時系を追った包括的な指導、及びカウンセリング訓練が可能な、リアルタイムで双方向に指導が行える有用な栄養士育成教育用ソフトウェアの開発はなされていない。
【０００８】
そこで、本発明は、保健指導ができる管理栄養士養成のために、双方向性医療情報共有ネットワークシステムを利用した管理栄養士教育システムを提供することを目的とする。
【課題を解決するための手段】
【０００９】
上記課題を解決するための第一の手段として、本発明に係る教育システムは、（１）入力部と、健康関連指標データを記憶する個人情報記憶部と、健康関連指標データを送受信する端末用送受信部と、を有するシステム登録利用者用端末と、（２）個人特定データ及び健康関連指標データを記憶する個人情報記憶部と、運動情報データを記憶する運動情報記憶部と、学習支援部と、個人特定データ、健康関連指標データ及び運動情報データに基づき健康管理支援処理を行う健康管理支援部と、システム登録利用者用端末における端末用送受信部と電気通信回線を通じて接続可能なサーバ用送受信部と、を有する健康管理支援システムサーバと、（３）入力部、アドバイスデータを記憶する記憶処理部、サーバ送受信部と電気通信回線を通じて接続可能な端末用送受信部と、を有する医療スタッフ用端末と、（４）入力部、アドバイスデータを記憶する記憶処理部、サーバ送受信部と電気通信回線を通じて接続可能な、端末用送受信部と、を有する研修者用端末と、を有する。
【００１０】
なお、本手段に係る教育システムにおいて、限定されるわけではないが、「個人特定データ」とは、氏名データ、性別データ、生年月日データ、住所データ、ＩＤデータ及びパスワードデータの少なくともいずれかを含むことが好ましい。
【００１１】
また、限定されるわけではないが「健康関連指標データ」とは、健康診断データ、生活データを含むことが好ましく、目標値データを含むことがより好ましい。またここで「健康診断データ」とは、体重データ、身長データ、ウエストデータ、血圧データ、中性脂肪値データ、総コレステロール値データ、ＨＤＬ−Ｃデータ、空腹時血糖値データ、ヘモグロビンＡ１ｃデータの少なくともいずれかを含むことが好ましく、「生活データ」は、「問診データ」と「日常データ」とを含むことが好ましい。また「問診データ」は、起床時刻データ、就寝時刻データ、睡眠時間データ、通勤時間データ、通勤手段データ、仕事時間データ、喫煙・飲酒傾向、食事傾向データ、及び既往症データの少なくともいずれかを含むことが好ましく、「日常データ」は、食事内容データ、運動量データ、体重データ、血圧データ、空腹時血糖値データ、通信文、質問の少なくともいずれかを含むことが好ましい。
【００１２】
また、本手段に係る教育システムにおいて、限定されるわけではないが、健康関連指標データに健康診断データを含み、更にそれが時刻データを含む場合、健康管理支援部が行なう健康管理支援処理が健康診断データを時系列的に表示する処理を含むことが好ましい。
【００１３】
また、本手段に係る教育システムにおいて、限定されるわけではないが、健康関連指標データが日常データを含み、更にそれが時刻データを含む場合、健康管理支援部が行なう健康管理支援処理が日常データを時系列的に表示する処理を含むことは好ましい。
【００１４】
また、本手段における教育システムにおいて、限定されるわけではないが、健康管理支援システムサーバは、教育のための学習支援処理を行う学習支援部を有することが好ましい。
【００１５】
また、本手段に係る教育システムにおいて、限定されるわけではないが、研修者が食事アドバイスの研修を行う場合、時刻データを含む食事アドバイスデータを作成し、管理栄養士学習支援部が食事アドバイスデータを時系列的に表示する処理を含むことは好ましい。
【００１６】
また、本手段における教育システムにおいて、限定されるわけではないが、健康管理支援システムサーバは、研修者が食事アドバイスの研修を行う場合、管理栄養士等の指導者が作成した指導データを時刻データを含む教育指導データを作成し、学習支援部が教育指導データを時系列的に表示する処理を含む学習支援処理を行う学習支援部を有することが好ましい。
【００１７】
また、本手段における教育システムにおいて、限定されるわけではないが、健康管理支援システムサーバにおける学習支援部１２６には、管理栄養士等の教育用の学習教材に関するデータ（学習教材データ）及び試験問題に関するデータ（試験問題データ）の少なくともいずれかが格納されていることが好ましい。
【００１８】
また、本手段における教育システムにおいて、限定されるわけではないが、健康管理支援システムサーバは、予測健康関連指標データを作成する健康関連指標予測部を有することが好ましい。
【００１９】
また、本手段に係る管理栄養士教育システムにおいて、限定されるわけではないが、健康管理支援システムサーバが予測健康関連指標データを作成する場合、予測健康関連指標データが時刻データを含む予測健康診断データを作成し、更に、健康管理支援部が行なう健康管理支援処理が健康診断データ及び予測健康診断データを併せて時系列的に表示する処理を含むことが好ましい。
【００２０】
また、本手段に係る管理栄養士教育システムにおいて、限定されるわけではないが、健康管理支援部が行なう健康管理支援処理が、表示するデータに対応するアドバイスデータの表示も行なうことを含むことが好ましい。
【００２１】
また、本手段における管理栄養士教育システムにおいて、限定されるわけではないが、健康管理支援システムサーバは、予測医療費データを作成する医療費予測部を有することが好ましい。
【発明の効果】
【００２２】
以上、本発明によると、例えば管理栄養士等の指導者とその研修者と間の双方向で豊富な情報をリアルタイムに共有することが容易となり、食事指導等の実践に即したロールプレイ機能、スクーリング機能が実行可能である。学習教材もインタ−ネットで提供することができ、非常に効率的である。通信手段があれば、遠隔地でも研修への参加が可能となるといった利点もある。
【発明を実施するための最良の形態】
【００２３】
以下、本発明を実施するための形態について、図面を用いて説明するが、本発明は以下に示す実施形態に狭く限定されるものではない。
【００２４】
図１に、本実施形態に係る管理栄養士教育システムの機能ブロックを示す。図１で示すとおり、本管理栄養士教育システム１は、システム登録利用者用端末１１、健康管理支援システムサーバ１２、医療スタッフ用端末１３と、研修者用端末１４を有して構成されており、健康管理支援システムサーバ１２とシステム登録利用者用端末１１、医療スタッフ用端末１３、研修者用端末１４と健康管理支援システムサーバ１２は、それぞれインターネット等の電気通信回線を通じて接続されている。
【００２５】
システム登録利用者用端末１１は、端末として機能するために必須な構成の他、図２で示すように、入力部１１１と、情報記憶部１１２と、端末用送受信部１１３と、表示部１１４と、を少なくとも有している。なおシステム登録利用者用端末１１の数は限定されない。システム登録利用者用端末１１から入力される各種データについては詳細については再度説明するが、システム登録利用者用端末１１は、入力部１１１を通じて入力される個人情報に関連するデータ（以下「個人情報データ」という。）を、端末用送受信部１１３を介して健康管理支援システムサーバ１２に送信することができる。またシステム登録利用者用端末１１は、健康管理支援システムサーバ１２から送信されるデータを端末用送受信部１１３を介して受信し、表示部１１４に表示させることもできる。なお、システム登録利用者用端末１１において、入力部１１１としては、データの入力が可能である限りにおいて限定されず、例えばキーボードやマウス等の機器を挙げることができる。また、情報記憶部１１２としては、情報を少なくとも一時的に記憶することができる限りにおいて限定されず、例えば機械としてのシステム登録利用者用端末が保有するハードディスク等の記憶媒体の一領域を利用することで実現できる。また、端末用送受信部１１３としては、データの送受信が可能である限りにおいて限定されず、例えば通信モデム等を挙げることができる。なお表示部１１４としては、液晶ディスプレイ等の表示装置を挙げることができる。
【００２６】
健康管理支援システムサーバ１２は、システムサーバとして機能するために必須な構成の他、図３で示すように、健康管理支援部１２１と、健康管理支援部に接続され健康管理支援部１２１とデータの授受が可能な個人情報記憶部１２２、運動情報記憶部１２３、医療費予測部１２４、健康関連指標予測部１２５、研修者用の学習教材及び試験問題が格納される学習支援部１２６と、健康管理支援部１２１に接続され外部端末とデータの送受信が可能な送受信部１２７と、を少なくとも有している。健康管理支援システムサーバ１２における送受信部１２７以外の上記各部は、限定されるわけではないが、機械としてのサーバに備えられているハードディスク等の記憶媒体に各種プログラムまたは各種データを格納し、これらを実行することで実現できる。送受信部１２７としては、上記端末と同様、通信モデム等を挙げることができる。
【００２７】
医療スタッフ用端末１３は、端末として機能するために必須な構成の他、図４で示すように、入力部１３１と、記憶処理部１３２と、端末用送受信部１３３と、表示部１３４と、を少なくとも有する。詳細については後述するが医療スタッフ用端末１３は、健康管理支援システムサーバ１２が送信する個人情報データを受信し、表示部１３４に表示することができる。医療スタッフはその表示された情報に基づき個人情報データを処理し、医療スタッフ用端末１３の端末用送受信部１３３を介して健康管理支援システムサーバ１２にこのデータを送信することができる。なお、ここで医療スタッフとは利用登録者の生活習慣に対しアドバイスを送ることができる者を意味し、例えば医師、管理栄養士、運動指導士等が挙げられるがこれに限定されない。また医療スタッフの数も限定はされない。なお、医療スタッフ用端末１３における入力部１３１、情報記憶部１３２、端末用送受信部１３３、表示部１３４の具体的な構成の例としては、上記システム登録利用者用端末１１と同様である。
【００２８】
研修者用端末１４は、研修者、好ましくは管理栄養士の研修者が使用する端末であり、端末として機能するために必須な構成の他、図５で示すように、入力部１４１と、情報記憶部１４２と、端末用送受信部１４３と、表示部１４４と、を少なくとも有する。詳細については後述するが研修者用端末は、健康管理支援システムサーバ１２が送信する管理栄養士教育用の学習教材データやインターンシップ用の健康管理データを受信し、表示部１４４に表示することができる。研修者はその表示された学習教材データに基づき学習し又は食事アドバイスデータを作成し、研修者用端末１４の送受信部１４３を介して健康管理支援システムサーバ１２にこのデータを送信することができる。研修者用端末１４における入力部１４１、記憶処理部１４２、端末用送受信部１４３、表示部１４４の具体的な構成の例としては、上記システム登録利用者用端末１１と同様である。なお、本実施形態において研修者の数は限定されない。
【００２９】
次に、本実施形態における教育システムの一連の処理の流れについて更に詳細に説明する。
【００３０】
まず、システム登録利用者は、健康管理支援システムサーバ１２にシステム利用者としての登録を行なう。登録は、限定されるわけではないが、個人情報のうち、例えば個人を特定するための情報についてのデータ（「個人特定データ」という。）を入力することで行なう。ここで「個人特定データ」は、限定されるわけではないが、例えば氏名データ、性別データ、生年月日データ、住所データ、メールアドレスデータ、ＩＤデータ及びパスワードデータ等を挙げることができる。なお本実施形態において、この登録手続及び個人情報データの入力制御については、健康管理支援部１２１が行ない、入力された個人特定データは個人情報記憶部１２２に記憶される。
【００３１】
この登録の終了後又は同時に、システム登録利用者は、既に行なった健康診断や健康管理支援において有用と思われるデータ（以下「健康関連指標データ」という。）をシステム登録利用者用端末１１を介して健康管理支援システムサーバ１２に送信する。そして健康管理支援システムサーバ１２は、この健康関連指標データを個人情報記憶部１２１に記憶する。なお、この入力制御についても、健康管理支援部１２１が行う。
【００３２】
ここで健康関連指標データとは、上述のとおり健康管理支援において有用と思われるデータであるだけでなく個人に対応させて格納されるデータであり、この限りにおいてデータの種類は限定されないが、例えば、健康診断において取得できる健康診断データ、システム登録利用者の生活に関連して取得される生活データ、更にはこれらに関連して設定される目標値データを挙げることができる。なお図６に、上記した個人情報データの分類について説明するための図を示しておく。
【００３３】
ここで「健康診断データ」としては、限定されるわけではないが、例えば体重データ、身長データ、ウエストデータ、中性脂肪データ、ＨＤＬ−Ｃデータ、総コレステロールデータ、血圧データ、空腹時血糖データ、ヘモグロビンＡ１ｃデータ等を例示することができる。図７にシステム登録利用者用端末１１の表示部１１４に表示される上記の健康診断データの入力画面の例を示しておく。
【００３４】
また、ここで「生活データ」としては、限定されるわけではないが、起床時刻データ、就寝時刻データ、睡眠時間データ、仕事時間データ、通勤時間データ、通勤手段データ、食事内容の傾向に関するデータ、既往症データ、日々の食事内容のデータ（以下「食事内容データ」という。）、日々の運動量に関するデータ（以下「運動量データ」という。）等を例示することができる。なお、これら生活に関連するデータは、一度登録すれば変更するまでそのままの状態として使用できるデータ（例えば上記起床時刻データ、就寝時刻データ、睡眠時間データ、仕事時間データ、通勤時間データ、通勤手段データ、食事内容の傾向に関するデータ、既往症データが該当する。以下「問診データ」という。）と、時刻データを付与して日常的に入力することを前提とするデータ（例えば上記食事内容データ、運動量データが該当する。以下「日常データ」という。）に分けることが有用である。図８に、問診データの入力画面の例を示しておく。なお、生活データと健康診断データは、その性質上分類されるものであるが、生活データであると共に健康診断データでもあるものも許容される。例えば体重データや血圧データ等は測定が可能な機器を保有している場合は、双方の性質を有するものとして処理される。
【００３５】
「日常データ」として食事内容を採用する場合、食事毎の画像データを含ませることも有用である。このようにすることで医療スタッフは食事の内容に基づきカロリー計算、栄養バランスに対するアドバイス等の情報を提供することができるようになる。
図９に、日常データが食事内容データである場合の入力画面の例を示しておく。
【００３６】
更に、「目標値データ」としては、限定されるわけではないが、例えば上記健康診断における目標値のデータ、運動量における目標値のデータ等を例示することができる。目標値のデータは、システム登録利用者が自身で入力することも可能であるし、医療スタッフがシステム登録利用者の年齢、性別、体調等により入力することも可能である。
【００３７】
また、上記のほか、本実施形態における健康管理支援部１２１は、個人情報記憶部１２２に格納された日常データを時系列的に表示させることもできる。例えば日常データが食事内容データである場合、図９の例で示すように表示を行なうことができる。またこの場合、医療スタッフによる料理の総カロリー量データやアドバイスデータを付すことができる。
【００３８】
本実施形態において研修者は、研修者用端末１４を用いて健康管理支援システムサーバ１２から、健康管理支援システムサーバ１２における教育のための学習支援処理を行う学習支援部１２６に保存してある学習教材データ及び試験問題データを入手し、送受信部１２７を介して研修者用端末１４の表示部１４４に表示させて学習する。研修者は一定の学習を終了した後、試験問題を行い、その解答データを健康管理支援システムサーバ１２に送受信部１２７を介して送信する。また研修者は、学習において質問等がある場合、随時健康管理支援システムサーバ１２を介して指導者である医療スタッフ（栄養管理士）の医療スタッフ用端末１３に質問データを送付し質問することができる。
【００３９】
健康管理支援部１２１は、学習支援部１２６に研修者用端末１４から解答データや質問データが入力されると、送受信部１２７を介して管理栄養士指導者を含む医療スタッフ用端末１３に試験解答が入力されたことを知らせる。そして指導者は医療スタッフ用端末１３を用いて研修者の解答を採点する。基準点を越えた場合、指導者は研修者をインターンシップ参加可能であるとの認定をすることができる。
【００４０】
本実施形態における教育システムにおける健康管理支援システムサーバ１２における個人情報記憶部１２２は、システム登録利用者の個人情報を記憶する部であり、具体的にはシステム利用登録者の過去の健康関連指標データを記憶することができる。健康管理指標データの具体的な例としては生活データ、更には食事内容データが該当するがその食事内容データとしては、例えば図９の表示例で示すように、限定されるわけではないが、食事の画像と食事内容の説明を含むことが望ましい。なお、学習支援部１２６は、上記個人情報記憶部１２２と同様に、限定されるわけではないがハードディスク等の記憶媒体の一領域に上記データを記憶させることで実現できる。
【００４１】
また本実施形態に係る学習支援部１２６は、例えば図１０の説明図で示すように、ロールプレイ学習機能を実行させることができる。ここでは食事内容データを用いたロールプレイングの例を説明する。たとえば本実施形態に係る教育システムは学習支援部１２６により、個人情報記憶部１２２に保存されているシステム利用登録者の過去の食事内容データを含む日常データ及び健康関連指標データを研修者用端末１４に表示させる。研修者は、研修者用端末１４を利用して実際の管理栄養士インターンシップを行う前にこの情報をもとに食事に関するアドバイスデータを作成する。食事に関するアドバイスデータは、研修者用端末１４の端末用送受信部１４３を介して健康管理支援システムサーバ１２に送信する。
【００４２】
健康管理支援部１２１は、学習支援部１２６に研修者端末１４から食事に関するアドバイスデータが入力されると、送受信部１２７を介して管理栄養士指導者を含む医療スタッフ用端末１３に食事に関するアドバイスデータが入力されたことを知らせる。そしてその指導者は医療スタッフ用端末１３を用いて研修者の食事に関するアドバイスデータを評価する。評価した結果のデータは健康管理支援システムサーバ１２に端末用送受信部１３３を介して送信される。
【００４３】
健康管理支援部１２１は、学習支援部１２６に指導者が操作した医療スタッフ用端末１３から食事に関するアドバイスデータに関する評価の結果データが入力されると、送受信部１２７を介して研修者用端末１４に食事アドバイス案の評価の結果のデータが入力されたことを知らせる。
【００４４】
学習支援部１２６は、例えば図１１の説明図で示すように、食事アドバイスインターンシップ機能を実行させることができる。ここでは一例として食事内容データを用いたロールプレイングの例を説明する。たとえば本実施形態に係る教育システムは学習支援部１２６により、個人情報記憶部１２２に保存されているシステム利用登録者の過去の食事内容データを含む日常データ及び健康関連指標データを研修者用端末１４に表示させる。研修者はこの情報をもとに食事に関するアドバイスデータを作成する。この食事アドバイスデータは研修者用端末１４の端末用送受信部１４３を介して健康管理支援システムサーバ１２に送信する。
【００４５】
健康管理支援システムサーバ１２の健康管理支援部１２１は、学習支援部１２６に研修者用端末１４から食事に関するアドバイスデータが入力されると、送受信部１２７を介して管理栄養士指導者を含む医療スタッフ用端末１３に食事に関するアドバイスデータが入力されたことを知らせる。そして指導者は医療スタッフ用端末１３を用いて研修者の食事アドバイスの内容を評価する。評価した結果はもしそれが適当であるならば、認証し、適当でない場合はコメントをつけて評価データとして健康管理支援システムサーバ１２に端末用送受信部１３３を介して送信する。
【００４６】
健康管理支援部１２１は、学習支援部１２６に指導者から送信された食事に関するアドバイスに関する評価データが入力されると、送受信部１２７を介して研修者用端末１４に食事に関するアドバイスについての評価データが入力されたことを知らせる。
【００４７】
医療費予測部１２４は、病気の種類及びその病気の種類に対する治療に必要とされる医療費等に関する情報のデータ（以下「医療費情報データ」という。）を記憶し、し、システム登録利用者の個人情報データに基づき今後必要とされる医療費の予測処理を行う（予測医療費データの作成を行う）部である。健康管理支援部１２１は、システム登録利用者からの要求に応じ、この予測医療費について表示を行なう。なお、医療費予測部１２４は、上記個人情報記憶部１２２と同様に、限定されるわけではないがハードディスク等の記憶媒体の一領域に上記データを記憶させることで実現可能となる。
【００４８】
また、健康管理支援部１２１は、入力された健康関連指標データ、主として健康診断データを時系列的にまとめ、システム登録利用者用端末１１の表示部１１４に表示させることができる。この例を図１２に示す。このように表示することで、システム登録利用者は自身の健康状態の判断及び将来予測を行うことができる。
【００４９】
ところで健康関連指標予測部１２５は、個人情報記憶部１２２が記憶した個人情報データ、主として健康診断データに基づき、システム登録利用者の将来における健康関連指標データ（以下「予測健康関連指標データ」という。）を作成する処理を行なう。この予測処理としては、限定されるわけではないが、入力された体重データに基づき総コレステロール値データやヘモグロビンA１Cデータの値を推定することができ、健康関連指標予測部１２４の結果作成される予測健康関連指標データは、健康管理支援部１２１を介して個人情報記憶部１２２に記憶される。なお健康管理支援部１２１は、上記予測健康関連指標データを、健康診断データの一部として、システム登録利用者用端末１１における表示部１１４に表示させることができる。この例を図１３に示しておく。なお、健康予測部１２５は、上記個人情報記憶部１２２と同様に、限定されるわけではないがハードディスク等の記憶媒体の一領域に上記処理を可能とするプログラム及びデータを記憶させることで実現可能となる。このようにすることで、システム登録利用者は自身の健康状態の判断を行なうことができると共に、データとして裏付けられたより正確な将来予測を行なうことができるようになる。
【００５０】
また、上記のほか、本実施形態における健康管理支援部１２１は、個人情報記憶部１２２に格納された日常データを時系列的に表示させることもできる。例えば日常データが食事内容データである場合、図１４の例で示すように表示を行なうことができる。またこの場合、医療スタッフによる料理の総カロリー量データやアドバイスデータを付すことができる。
【００５１】
以上のとおり、本健康管理支援システムによると、サーバに蓄積されたデータをシステム登録利用者、管理栄養士研修者と管理栄養士指導者を含む医療スタッフがリアルタイムに共有することができるようになり、的確な指導をタイムリーに行なうことができるようになる。また、医療スタッフが複数いる場合でも、データの共有が可能であるため、連携が可能となり、指導の質が向上するといった効果がある。更に、日常データ等日々の情報を入力しこれを随時確認することができるため、利用者の健康管理に対する意欲減退を防止し、生活習慣の改善に有効に機能しうる健康管理支援システムとなる。また、インターンシップにおいて例えば管理栄養士の研修者が食事アドバイスデータを入力した場合に、遅滞なく管理栄養士指導者の評価を知ることができるため、学習効果の倍増に有効に機能しうる教育システムとなる。また、管理栄養士研修者の作成したアドバイス案を管理栄養士指導者が修正後に承認機能を経て、システム利用者に送信できるため、特定保健指導におけるマンパワー確保に有効に機能しうる健康管理支援システムとなる。
【００５２】
以上、本実施形態に係る教育システムにおいては、以下の利点がある（１）双方向でなおかつ、指導者・研修者間で情報をリアルタイムに共有できる。（２）インターシップに即したロールプレイ機能、スクーリング機能がある。（３）カウンセリング訓練に必要なスーパービジョン機能を有する。（４）食事画像・コメントによる食事情報が多いため、研修者は的確な食事指導が可能であると同時に、指導者は的確な評価・指導が可能である。（４）インタ−ネット環境があれば、遠隔地でも研修に参加できる。（５）学習教材もインタ−ネットで提供することができる。（６）研修者も含めて、健康管理支援システムへのスタッフ確保につながる。
【産業上の利用可能性】
【００５３】
本発明は、電気通信回線を通じて例えば管理栄養士の養成及び研修を行う教育システムとして産業上の利用可能性がある。
【図面の簡単な説明】
【００５４】
【図１】実施形態に係る管理栄養士教育システムの機能ブロックを示す図である。
【図２】システム登録利用者用携帯端末の機能ブロックを示す図である。
【図３】健康管理支援システムサーバの機能ブロックを示す図である。
【図４】医療スタッフ用端末の機能ブロックを示す図である。
【図５】研修者用端末の機能ブロックを示す図である。
【図６】個人情報データの分類について説明するための図である。
【図７】システム登録利用者用端末の表示部に表示される健康診断データの入力画面の例を示す図である。
【図８】システム登録利用者用端末の表示部に表示される問診データの入力画面の例を示す図である。
【図９】日常データが食事内容データである場合の入力画面の例を示す図である。
【図１０】管理栄養士のロールプレイ学習機能を説明するための図である。
【図１１】管理栄養士のインターンシップ機能を説明するための図である。
【図１２】システム登録利用者用端末の表示部に表示される時系列的に並べた健康診断データを示す図である。
【図１３】図１２で表示されるデータに更に、予測した健康診断データを加えた場合を示す図である。
【図１４】日常データが食事内容データである場合に、システム登録利用者用端末の表示部に表示される日常データの表示の一例を示す図である。
【図１】
2009199129.tif 000003
【図２】
2009199129.tif 000004
【図３】
2009199129.tif 000005
【図４】
2009199129.tif 000006
【図５】
2009199129.tif 000007
【図６】
2009199129.tif 000008
【図７】
2009199129.tif 000009
【図８】
2009199129.tif 000010
【図９】
2009199129.tif 000011
【図１０】
2009199129.tif 000012
【図１１】
2009199129.tif 000013
【図１２】
2009199129.tif 000014
【図１３】
2009199129.tif 000015
【図１４】
2009199129.tif 000016